(57)【要約】【課題】磁石が吸い付くかか否かに関わりなく、材質的に広範囲の壁面や家具面に簡便に且つ取り付け面を傷つけることなく、取り付け・取り外し可能なクリップを提供する。【解決手段】平坦面１ｓを有する支持片１と、支持片１に対向するように配置された押片２と、支持片１と押片２との間に配置された弾性体３とからなるクリップ１０を構成する。押片２は保持部２ｂと押部２ｃとを少なくとも有する。押片２は、弾性体３により保持部２ｂで支持片１に押し付けられており且つ押部２ｃが支持片１方向へ押し込まれた場合には支持片１から引き離されるようになっている。更に、支持片１の平坦面１ｓには、発泡樹脂シート基材５ａの両面に粘着層５ｂが形成された引き剥がし可能な両面粘着シート５が貼着されている。【選択図】  図１
2004306468.tif 000002
【特許請求の範囲】
【請求項１】
少なくとも片面に平坦面を有する支持片と、該支持片の他面に対向するように配置された押片と、該支持片と押片との間に配置された弾性体とからなるクリップであって、該押片は保持部と押部とを少なくとも有し、該押片は、該弾性体により該保持部で該支持片に押し付けられており且つ該押部が該支持片方向へ押し込まれた場合には該支持片から引き離されるようになっており、更に、該支持片の平坦面に、発泡樹脂シート基材の両面に粘着層が形成された引き剥がし可能な両面粘着シートが貼着されていることを特徴とするクリップ。
【発明の詳細な説明】
【０００１】
【発明の属する技術分野】
本発明は、紙や紐等を保持するクリップに関する。特に、壁等に貼着可能であって、不要になった際には壁等を傷つけることなく引き剥がし可能なクリップに関する。
【０００２】
【従来の技術】
紙や紐などを室内の壁面や冷蔵庫の外面に保持するために、従来より様々な保持具が使用されている。例えば、図３（ａ）に示すように、頭頂部に針穴３１を有するフック３２と該針穴を通って壁Ｗに突き刺さってフック３２を壁に固定するための釘部材３３とからなる保持具や、図３（ｂ）に示すように、樹脂カバー３４で覆われた磁石３５に固定された洗濯ばさみ様クリップ３６とからなる保持具等が市販されている。この洗濯ばさみ様クリップ３６は、一対の挟持片３７が支点軸３８で互いに結合し、この支点軸３８は、一対の挟持片３７の先端を挟み付けるための巻線バネ３９の中空間を貫通した状態となっている。これらの保持具自体は、不要となった場合には、壁面等から取り外し可能なものなっている。
また、洗濯ばさみをクリップとして転用することも試みられている（特許文献１）。
【０００３】
【特許文献１】特開平９−２８９９０号公報。
【０００４】
【発明が解決しようとする課題】
しかしながら、図３（ａ）の保持具の場合、壁や家具の取り付け面に穴を開けてしまうという問題があった。また、硬質樹脂面や金属面には針部材を打ち込むことができないという問題があった。図３（ｂ）の保持具の場合には、原則として壁面を傷つけることはないが、磁石が吸い付かない面に対しては取り付けられないという問題があった。また、洗濯ばさみの場合、そのままでは壁や家具に取り付けられないという問題があった。
【０００５】
本発明は、磁石が吸い付くか否かに関わりなく、材質的に広範囲の壁面や家具面に簡便に且つ取り付け面を傷つけることなく、取り付け・取り外し可能な保持具を提供することを目的とする。
【０００６】
【課題を解決するための手段】
本発明者は、洗濯バサミ様のクリップの挟持片の外側面に平坦な面を形成し、その平坦面に、発泡樹脂シート基材の両面に粘着層が形成された引き剥がし可能な両面粘着シートを貼着したものが、上述の目的を達成できることを見出し、本発明を完成させた。
【０００７】
即ち、本発明は、少なくとも片面に平坦面を有する支持片と、該支持片の他面に対向するように配置された押片と、該支持片と押片との間に配置された弾性体とからなるクリップであって、該押片は保持部と押部とを少なくとも有し、該押片は、該弾性体により該保持部で該支持片に押し付けられており且つ該押部が該支持片方向へ押し込まれた場合には該支持片から引き離されるようになっており、更に、該支持片の平坦面に、発泡樹脂シート基材の両面に粘着層が形成された引き剥がし可能な両面粘着シートが貼着されていることを特徴とするクリップを提供する。
【０００８】
【発明の実施の形態】
以下、本発明の実施の形態を図面に基づいて詳しく説明する。
【０００９】
図１（ａ）は、本発明の一実施例のクリップの側面図であり、図１（ｂ）は、図中矢印▲１▼から見た上面図であり、図１（ｃ）は、図中矢印▲２▼から見た正面図である。
【００１０】
図１のクリップ１０は、平坦面１ｓを有する支持片１と、支持片１に対向するように配置された押片２と、支持片１と押片２との間に配置された弾性体３とから構成されている。図１の態様では、支持片１と押片２のそれぞれの対向面のほぼ中央部の側方に山形突起１ａと２ａとが設けられており、それらのほぼ中央部と弾性体３である巻線バネの中空間とを支点軸４を貫通させることにより、支持片１と押片２と弾性体３とを結合させている。
【００１１】
支持片１及び押片２の素材としては、各種樹脂材料、木質材料、金属材料等を適宜選択使用することができる。
【００１２】
このクリップ１０の押片２は、保持部２ｂと押部２ｃとを少なくとも有している。押片２は、弾性体３により保持部２ｂで支持片１に押し付けられている。従って、保持部２ｂと支持片１との間で被保持物、例えば紙を挟持できるようになっている。なお、押部２ｃが支持片１方向へ押し込まれた場合には、押片２の保持部２ｂが支持片１から引き離されるので、被保持物がクリップ１０から外れることになる。
【００１３】
図１においては、弾性体３として巻線バネを使用しているが、押片２をその保持部２ｂで支持片１に押し付け且つ押部２ｃを支持片１方向へ押し込んだ場合に、押片２の保持部２ｂが支持片１から引き離される機能を有する弾性体を適宜使用することができる。
【００１４】
更に、このクリップ１０においては、支持片１の平坦面１ｓに、発泡樹脂シート基材５ａの両面に粘着層５ｂが形成された引き剥がし可能な両面粘着シート５が貼着されている。従って、この両面粘着シート５でクリップ１０を、様々な材質の壁や家具表面に固定することができる。また、両面粘着シート５の支持片１と対向してない部分の両面には粘着層が形成されておらず、発泡樹脂シート基材５ａが露出した状態となっている。この露出した発泡樹脂シート基材５ａを図１の点線矢印方向に引っ張ると、引き延ばされながら塑性変形し、それと共に粘着層５ｂも被貼着面から剥がれながら引き延ばされ、最終的にクリップ１０と被貼着面との間から両面粘着シート５全体が、被貼着面を傷つけることなく引き出される。従って、図１のクリップ１０は、材質的に広範囲の壁面や家具面に簡便に且つ取り付け面を傷つけることなく、取り付けることができ、また、取り外しもできるものとなっている。このような両面粘着シート５としては、市販の両面粘着シート（商品名：コマンド、住友３Ｍ社）等を使用することができる。
【００１５】
なお、図１の態様では、発泡樹脂シート基材５ａの露出部分を、押部２ｃ側に配置したが、保持部２ｂ側に配置してもよい。
【００１６】
また、図２（ａ）は、本発明の別の実施例のクリップ２０の側面図である。このクリップ２０は、支持片１とループ状の弾性体３と押片２とが連続しており、割りピンバネ形状となっている。支持片１の裏面（押片２の反対側）には、図１の場合と同様の平坦部１ｓが設けられており、そこに両面粘着シート５が貼着されている。
【００１７】
また、支持片１の押片２の対向面には、支点突起１ｄが形成されている。また、押部２ｃを支持片１方向へ押し込むと、図２（ｂ）に示すように、突起１ｄを支点として、押片２の保持部２ｂが支持片１から浮き上がる。従って保持部２ｂと支持片１との間で保持されていた被保持物をクリップ２０から外すことが可能となる。
【００１８】
【発明の効果】
本発明によれば、磁石が吸い付くかか否かに関わりなく、材質的に広範囲の壁面や家具面に簡便に且つ取り付け面を傷つけることなく、取り付け・取り外し可能なクリップが提供される。
【図面の簡単な説明】
【図１】本発明の一実施例のクリップの側面図（同図（ａ））、上面図（同図（ｂ））及び正面図（同図（ｃ））である。
【図２】本発明の別の実施例のクリップの側面図（同図（ａ））及び作用説明図（同図（ｂ））である。
【図３】従来のクリップの説明図である。
【符号の説明】
１  支持片
１ａ，２ａ  山形突起
２ｂ  保持部
２ｃ  押部
１ｄ  支点突起
２  押片
３  弾性体
４  支点軸
５  両面粘着シート
１０，２０  クリップ
【図１】
2004306468.tif 000003
【図２】
2004306468.tif 000004
【図３】
2004306468.tif 000005